(57)【要約】【課題】複数の媒体の使用を取引条件に加えることにより、生体認証装置等の多大な設備投資を行わず、セキュリティを強化する。【解決手段】口座データベースを有する勘定系ホストコンピュータ３０に接続されて、顧客の操作によって取引口座カードに係る口座の取引を自動的に行う自動化機器１０において、取引口座カードが挿入されたことを判定する処理と、取引口座カードの暗証番号が入力されたことを判定する処理と、取引承認用口座カードが挿入されたことを判定する処理と、取引口座カードに係る第１の口座の取引を受け付ける処理と、取引口座カードに係る暗証番号が一致し、且つ取引口座が取引承認用口座と関連づけられている場合に、取引口座に係る取引を実行する処理とを行う。【選択図】図１
2011237913.tif 000002
【特許請求の範囲】
【請求項１】
口座データベースを有する上位装置に接続されて、顧客の操作によって口座の取引を自動的に行う自動化機器の取引方法において、
第１の媒体が挿入されたことを判定する第１の挿入判定処理と、
第１の暗証番号が入力されたことを判定する第１の番号入力判定処理と、
第２の媒体が挿入されたことを判定する第２の挿入判定処理と、
前記第１の媒体に係る第１の口座の取引を受け付ける取引受付処理と、
前記第１の媒体に係る暗証番号が前記第１の暗証番号と一致し、且つ前記第１の媒体に係る前記第１の口座が前記第２の媒体に係る第２の口座と関連づけられている場合に、前記第１の口座に係る前記取引を実行する取引実行処理と、
を行うことを特徴とする自動化機器の取引方法。
【請求項２】
請求項１記載の自動化機器の取引方法は、更に
第２の暗証番号が入力されたことを判定する第２の番号入力判定処理を行い、
前記取引実行処理は、前記第１の媒体に係る暗証番号が前記第１の暗証番号と一致し、前記第２の媒体に係る暗証番号が前記第２の暗証番号と一致し、且つ前記第１の媒体に係る前記第１の口座が前記第２の媒体に係る前記第２の口座と関連づけられている場合に、前記第１の口座に係る前記取引を実行することを特徴とする自動化機器の取引方法。
【請求項３】
請求項２記載の自動化機器の取引方法は、更に
前記第１の口座と前記第２の口座のいずれが取引口座であるかを選択する取引口座選択処理を行い、
前記取引受付処理は、前記取引口座の取引を受け付け、
前記取引実行処理は、前記第１の媒体に係る暗証番号が前記第１の暗証番号と一致し、前記第２の媒体に係る暗証番号が前記第２の暗証番号と一致し、且つ前記第１の媒体に係る前記第１の口座が前記第２の媒体に係る前記第２の口座と関連づけられている場合に、前記取引口座に係る前記取引を実行することを特徴とする自動化機器の取引方法。
【請求項４】
口座データベースを有する上位装置に接続されて、顧客の操作によって口座の取引を自動的に行う自動化機器の取引方法において、
第１の媒体が投入されたことを判定する第１の投入判定処理と、
前記第１の媒体を排出する排出処理と、
第２の媒体が投入されたことを判定する第２の投入判定処理と、
第２の暗証番号が入力されたことを判定する第２の入力判定処理と、
前記第２の媒体に係る第２の口座の取引を受け付ける取引受付処理と、
前記第２の媒体に係る暗証番号が前記第２の暗証番号と一致し、且つ前記第２の媒体に係る前記第２の口座が前記第１の媒体に係る第１の口座と関連づけられている場合には、前記第２の口座に係る前記取引を実行する取引実行処理と、
を行うことを特徴とする自動化機器の取引方法。
【請求項５】
請求項４記載の自動化機器の取引方法は、更に、
前記第１の投入判定処理を行ったのちに、第１の暗証番号が入力されたことを判定する第１の番号入力判定処理を行い、
前記排出処理は、前記第１の番号入力判定処理を行ったのちに前記第１の媒体を排出し、
前記取引実行処理は、前記第１の媒体に係る暗証番号が前記第１の暗証番号と一致し、前記第２の媒体に係る暗証番号が前記第２の暗証番号と一致し、且つ前記第２の媒体に係る前記第２の口座が前記第１の媒体に係る前記第１の口座と関連づけられている場合には、前記第２の口座に係る前記取引を実行することを特徴とする自動化機器の取引方法。
【請求項６】
前記媒体は、口座情報が記録された磁気ストライプを備えた磁気カード、口座情報が記録された集積回路を内蔵するＩＣカード、口座情報が記録された通帳のうちのいずれか１つであることを特徴とする請求項１〜５のいずれか１項に記載の自動化機器の取引方法。
【発明の詳細な説明】
【技術分野】
【０００１】
本発明は、自動化機器の取引方法に関するものである。
【背景技術】
【０００２】
従来、自動化機器の取引方法では、カードと暗証番号とが流出しても不正に取引が行えないよう、生体認証や第二暗証設定等でセキュリティを強化する技術が知られている。
【０００３】
特許文献１には、１枚の磁気カードによって複数の口座からの引出、及び預入と振込のような複数の取引を実行可能とする技術が記載されている。
【先行技術文献】
【特許文献】
【０００４】
【特許文献１】特願平０５−１７４３０１号公報
【発明の概要】
【発明が解決しようとする課題】
【０００５】
しかしながら、従来の自動化機器の取引方法では、セキュリティを強化するためには生体認証ハードウェアを自動化機器に追加することが必要であり、よって投資額が膨大となるという課題があった。
【課題を解決するための手段】
【０００６】
本発明の自動化機器の取引方法は、口座データベースを有する上位装置に接続されて、顧客の操作によって媒体に係る口座の取引を自動的に行う自動化機器の取引方法であって、第１の媒体が挿入されたことを判定する第１の挿入判定処理と、第１の暗証番号が入力されたことを判定する第１の番号入力判定処理と、第２の媒体が挿入されたことを判定する第２の挿入判定処理と、前記第１の媒体に係る第１の口座の取引を受け付ける取引受付処理と、前記第１の媒体に係る暗証番号が前記第１の暗証番号と一致し、且つ前記第１の媒体に係る前記第１の口座が前記第２の媒体に係る第２の口座と関連づけられている場合に、前記第１の口座に係る前記取引を実行する取引実行処理とを行う。
【発明の効果】
【０００７】
本発明の自動化機器の取引方法によれば、複数の媒体の使用を取引条件に加えることにより、生体認証装置等の多大な設備投資を行わず、セキュリティを強化することが可能となる。
【図面の簡単な説明】
【０００８】
【図１】図１は、本発明の実施例１における自動化機器を示す概略の構成図である。
【図２】図２は、図１の勘定系ホストコンピュータを示す概略の構成図である。
【図３】図３は、本発明の実施例１における勘定系ホストコンピュータの口座ＤＢの概略を示す図である。
【図４】図４は、本発明の実施例１の画面遷移（その１）を示す図である。
【図５】図５は、本発明の実施例１の画面遷移（その２）を示す図である。
【図６】図６は、本発明の実施例１における自動化機器を用いた取引方法（その１）を示すフローチャートである。
【図７】図７は、本発明の実施例１における自動化機器を用いた取引方法（その２）を示すフローチャートである。
【図８】図８は、本発明の実施例１における勘定系ホストコンピュータの動作を示すフローチャートである。
【図９】図９は、本発明の実施例２と実施例１との画面遷移の差分を示す図である。
【図１０】図１０は、本発明の実施例２における自動化機器を用いた取引方法（その１）を示すフローチャートである。
【図１１】図１１は、本発明の実施例２における自動化機器を用いた取引方法（その２）を示すフローチャートである。
【図１２】図１２は、本発明の実施例２における勘定系ホストコンピュータの動作を示すフローチャートである。
【図１３】図１３は、本発明の実施例３と実施例１との画面遷移の差分（その１）を示す図である。
【図１４】図１４は、本発明の実施例３と実施例１との画面遷移の差分（その２）を示す図である。
【図１５】図１５は、本発明の実施例３における自動化機器を用いた取引方法（その１）を示すフローチャートである。
【図１６】図１６は、本発明の実施例３における自動化機器を用いた取引方法（その２）を示すフローチャートである。
【図１７】図１７は、本発明の実施例３における勘定系ホストコンピュータへの通知処理（S22B）を示すフローチャートである。
【発明を実施するための形態】
【０００９】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１０】
（実施例１の構成）
図１は、本発明の実施例１における自動化機器を示す概略の構成図である。
【００１１】
自動化機器１０は、制御部１１と、顧客操作部１２と、紙幣入出金機１３と、硬貨入出金機１４と、磁気カードリーダライタ１５と、明細プリンタ１６と、通帳記帳機１７と、レシートジャーナルプリンタ１８とを有している。
【００１２】
自動化機器１０は、銀行等の金融機関の店舗、又はコンビニエンスストア等の店舗等に設置され、通信回線１００を介して勘定系ホストコンピュータ３０に通信可能に接続されている。自動化機器１０は、口座情報が記録された磁気カードやＩＣカード等のカード類や、口座情報が記録された通帳等に係る口座の取引を行う。自動化機器１０は、顧客の操作によりカード類や通帳等の挿入を受け付け、現金引出し取引、預け入れ取引等の取引を行うものである。磁気カードは、例えば口座情報等が記録された磁気ストライプを備えたカードである。ＩＣカードは、例えば口座情報等が記録された集積回路を内蔵したカードである。
【００１３】
通信回線１００は、複数の自動化機器１０と勘定系ホストコンピュータ３０とを相互に通信可能に接続している。この通信回線１００は、有線／無線の専用回線／公衆回線を介して直接に、又はインターネット、ＬＡＮ（Local  Area  Network）、ＷＡＮ（Wide  Area  Network）等のネットワークを経由して間接的に、複数の自動化機器１０と勘定系ホストコンピュータ３０とを接続するものであってもよい。
【００１４】
制御部１１は、ＣＰＵ（Central  Processing  Unit）、ＭＰＵ（Micro  Processing  Unit）等の演算及び制御手段であり、自動化機器１０の全体を制御する。制御部１１は、顧客操作部１２と、紙幣入出金機１３と、硬貨入出金機１４と、磁気カードリーダライタ１５と、明細プリンタ１６と、通帳記帳機１７と、レシートジャーナルプリンタ１８とが制御可能に接続されると共に、通信回線１００を介して勘定系ホストコンピュータ３０と相互に通信可能に接続されている。
【００１５】
顧客操作部１２は、ＣＲＴディスプレイや液晶ディスプレイ等の表示装置上に、タッチパネル等の操作部を備えている。顧客操作部１２は、顧客の入力操作等の案内画面や顧客が入力した情報等を表示し、顧客がタッチスクリーン等の操作部を介して入力操作等を行うものである。顧客は、表示装置に表示されたボタン等に対応した部位のタッチスクリーンを指で触ることにより、自動化機器１０に対してボタン押下の指示を与えることができる。
【００１６】
紙幣入出金機１３は、現金引出し取引や現金入金取引に伴う紙幣の入出金処理を行うものであり、硬貨入出金機１４は、現金引出し取引や現金入金取引に伴う紙幣の入出金処理を行うものである。入金処理とは、顧客が紙幣入出金口に入れた紙幣を紙幣入出金機１３で計数して金庫に収納し、硬貨入出金口に入れた硬貨を硬貨入出金機１４で計数して金庫に収納することをいう。出金処理とは、顧客が指定した金額に相当する紙幣や硬貨を、それぞれ紙幣入出金機１３や硬貨入出金機１４から繰り出して計数し、紙幣入出金口や硬貨入出金口に搬送して顧客に払い出すことをいう。紙幣入出金口や硬貨入出金口は、それぞれ入出金口シャッタを有している。自動化機器１０が紙幣入出金口の入出金口シャッタを開くことによって、顧客は、紙幣入出金口に対して紙幣を入出金可能となる。自動化機器１０が硬貨入出金口の入出金口シャッタを開くことによって、顧客は、硬貨入出金口に対して硬貨を入出金可能となる。
【００１７】
磁気カードリーダライタ１５は、図示しないカード挿入口から挿入された磁気カードやＩＣカードを内部に搬送するものである。磁気カードリーダライタ１５は、内部に搬送した磁気カード上の磁気ストライプに記録された情報やＩＣカード内の集積回路に記録された情報を読み書きするものである。磁気カードリーダライタ１５は、内部に搬送した磁気カードやＩＣカードを図示しないカード挿入口から排出するものである。磁気カードリーダライタ１５は、カード排出口から排出した磁気カードやＩＣカードを顧客が受け取ったことを判断するものである。
【００１８】
明細プリンタ１６は、取引内容を明細票に印刷し、印刷した明細票を明細票排出口に搬送するものである。
【００１９】
通帳記帳機１７は、磁気ヘッドを含むリードライト部と、発光素子や受光素子等を含む光学センサ部とを備えている。通帳記帳機１７は、通帳スロットに通帳が挿入されると、通帳の表表紙又は裏表紙上の磁気ストライプに記録された口座番号等の磁気データをリードライト部によって読み取るものである。通帳記帳機１７は、通帳の磁気データが正常に読み取れたならば、更に通帳の用紙に印刷されている頁マーク及び印字済み行数を光学センサ部が読み取るものである。
【００２０】
レシートジャーナルプリンタ１８は、取引記録を保存するためのジャーナル紙に取引明細等を印字するものである。
【００２１】
図２は、図１の勘定系ホストコンピュータを示す概略の構成図である。
勘定系ホストコンピュータ３０は、この勘定系ホストコンピュータ３０全体を制御する演算部３１と、この演算部３１が種々のデータを記憶する記憶部３２と、この演算部３１が日時を参照する時計部３３と、通信回線１００を介して外部の複数の自動化機器１０（＝１０−１，１０−２，・・・，１０−Ｎ）と通信する通信部３４と、操作者に画面を表示する表示部３５と、この勘定系ホストコンピュータ３０に入力を指示する入力部３６と、を備えている。記憶部３２は、口座に関するデータベース（ＤＢ）である口座ＤＢ３７を備えている。
【００２２】
演算部３１には、記憶部３２と、時計部３３と、通信部３４と、表示部３５と、入力部３６とが接続されている。通信部３４は、演算部３１と接続されていると共に、通信回線１００を介して外部の複数の自動化機器１０（＝１０−１，１０−２，・・・，１０−Ｎ）と通信可能に接続されている。
【００２３】
図３は、図２における勘定系ホストコンピュータの口座ＤＢの概略を示す図である。
【００２４】
口座ＤＢ３７は、各口座の口座情報と取引履歴を備えている。口座情報は、口座毎に金融機関コード、店番、口座番号、及び取引承認用口座番号、暗証番号等の項目で構成されるレコードを備えている。取引履歴は、取引の日時、取引種別、取引の金額等の項目で構成されるレコードを複数有し、口座情報のうちのいずれかに属している。図３に示す口座番号１１１１１１１は、取引承認用口座番号が２２２２２２２で、暗証番号が０６０２であり、口座番号２２２２２２２は、取引承認用口座番号が１１１１１１１で、暗証番号が０７０４であることを示している。
【００２５】
図３に示す口座番号１１１１１１１に属する取引履歴は、２０１０年３月２４日  ０９：００：００に４２０００円が引き出され、２０１０年４月２日  １５：００：００に、１００００円の振り込みを行ったことを示している。
【００２６】
勘定系ホストコンピュータ３０は、通信回線１００を介して自動化機器１０から口座に係る口座情報と取引情報とを受信し、その口座に係る口座ＤＢ３７のレコードを読み書きすると共に、口座に属する取引履歴に取引情報を記録することによって、取引を行う。
【００２７】
（実施例１の動作）
図４（ａ）〜（ｄ）は、本発明の実施例１の画面遷移（その１）を示す図である。
【００２８】
図４（ａ）は、顧客操作部１２に最初に表示される初期画面である。
図４（ａ）に示す初期画面は、お引き出しボタン４０と、残高照会ボタン４１と、通帳記入ボタン４２と、お預け入れボタン４３と、定期・積立取引ボタン４４と、お振り替えボタン４５とを備えている。顧客は、この画面において、お引き出しボタン４０に対応した部位のタッチスクリーンを指で触ることにより、自動化機器１０に対してお引き出しボタン４０押下の指示を与え、図４（ｂ）に示す取引口座カード挿入画面に遷移させることができる。他のボタンに対応した部位のタッチスクリーンを指で触る動作も同様である。
【００２９】
図４（ｂ）に示す取引口座カード挿入画面には、「お取引口座のカードを入れてください。」のメッセージと共に、キャッシュカード挿入部にカードが挿入されているイラストが表示されている。顧客は、この画面において、カード挿入口に取引口座カード（第１の媒体）を挿入することにより、図４（ｃ）に示す暗証番号（第１の暗証番号）入力画面に遷移させることができる。
【００３０】
図４（ｃ）に示す暗証番号入力画面には、「お引き出し口座の暗証番号を入力してください。」のメッセージと、テンキー４７と、暗証番号欄４６とが表示されている。テンキー４７の数字キーが押下されると共に、暗証番号欄４６に「＊」アスタリスクが表示されて数字が入力されたことを示す。また、テンキー４７上の訂正ボタン押下と共に暗証番号欄４６の「＊」アスタリスクが１つ消えて、入力された数字が取り消されたことを示す。顧客は、この画面において、４桁の暗証番号を入力することにより、図４（ｄ）に示す取引承認用口座カード挿入画面に遷移させることができる。
【００３１】
図４（ｄ）に示す取引承認用口座カード挿入画面には、「取引承認用口座のカードを入れてください。」のメッセージと共に、キャッシュカード挿入部にカードが挿入されているイラストが表示されている。顧客は、この画面において、カード挿入口に取引承認用口座カード（第２の媒体）を挿入することにより、後述する図５（ｅ）に示す取引金額入力画面に遷移させることができる。
【００３２】
図５（ｅ）〜（ｉ）は、本発明の実施例１の画面遷移（その２）を示す図である。
【００３３】
図５（ｅ）に示す取引金額入力画面は、図４（ｄ）の画面においてカード挿入口にカードを挿入したときに遷移する画面であり、「お引き出し金額を入力してください。」のメッセージと共に、テンキー４７と、金額欄４８と、確認ボタン４９とが表示されている。顧客は、この画面において、金額をテンキー４７で入力したのち、確認ボタン４９を押下することにより、図５（ｆ）に示す出金処理画面に遷移させることができる。
【００３４】
図５（ｆ）に示す出金処理画面には、「ただいま出金処理をしております。」のメッセージが表示されている。このとき、自動化機器１０は、勘定系ホストコンピュータ３０と通信したのち、紙幣入出金機１３と硬貨入出金機１４とを制御して出金処理を行う。出金処理が終了すると、図５（ｇ）に示す取引承認用口座カード受取画面に遷移する。
【００３５】
図５（ｇ）に示す取引承認用口座カード受取画面には、「取引承認用口座のカードをお受け取りください。」のメッセージと、キャッシュカードが排出されているイラストが表示されている。このとき、自動化機器１０は、磁気カードリーダライタ１５を制御して、取引承認用口座のカードの排出を行う。顧客は、この画面において、キャッシュカードを排出口から受け取ることにより、図５（ｈ）に示す取引口座カード受取画面に遷移させることができる。
【００３６】
図５（ｈ）に示す取引口座カード受取画面には、「お取引口座のカードとレシートをお受け取りください。」のメッセージと、キャッシュカードが排出されているイラストと、レシートが排出されているイラストとが表示されている。このとき、自動化機器１０は、磁気カードリーダライタ１５を制御して、取引承認用口座のカードの排出を行い、明細プリンタ１６を制御してレシートの排出を行う。顧客は、この画面において、キャッシュカードとレシートとを排出口から受け取ることにより、図５（ｉ）に示す紙幣・硬貨受取画面に遷移させることができる。
【００３７】
図５（ｉ）に示す紙幣・硬貨受取画面には、「紙幣又は硬貨をお受け取りください。」のメッセージと、入出金口のシャッタが開いたイラストとが表示されている。自動化機器１０は、図示しない入出金口のシャッタを開くよう紙幣入出金機１３と硬貨入出金機１４とを制御する。顧客は、この画面において、紙幣又は硬貨を入出金口から受け取ることにより、取引を終了させることができる。
【００３８】
図６は、本発明の実施例１における自動化機器を用いた取引方法（その１）を示すフローチャートである。
【００３９】
処理が開始すると、自動化機器１０は、ステップＳ１において図４（ａ）に示す初期画面を表示し、ステップＳ２において、いずれかのボタンが押下されたならば、対応する処理を行う。お引き出しボタン４０が押下されたならば、ステップＳ３以降においてお引き出し処理を行う。同様に、残高照会ボタン４１が押下されたならば、ステップＳ５０において残高照会処理を行う。通帳記入ボタン４２が押下されたならば、ステップＳ５１において通帳記入処理を行う。お預け入れボタン４３が押下されたならば、ステップＳ５２において預入処理を行う。定期・積立取引ボタン４４が押下されたならば、ステップＳ５３において定期・積立取引処理を行う。お振り替えボタン４５が押下されたならば、ステップＳ５４において、お振り替え処理を行う。
【００４０】
自動化機器１０は、ステップＳ３において図４（ｂ）に示す取引口座カード挿入画面を表示し、ステップＳ４においてカードが挿入されるまで待つ。自動化機器１０は、ステップＳ５において図４（ｃ）に示す暗証番号入力画面を表示し、ステップＳ６において取引口座に係る暗証番号が入力されるまで待つ。
【００４１】
自動化機器１０は、ステップＳ７において図４（ｄ）に示す取引承認用口座カード挿入画面を表示し、ステップＳ８においてカードが挿入されるまで待つ。自動化機器１０は、ステップＳ２０において図５（ｅ）に示す取引金額入力画面を表示し、ステップＳ２１において、お引き出し金額が入力されるまで待つ。お引き出し金額が入力されて、ステップＳ２１の処理が終了すると、結合子Ａで示される処理へ移行する。
【００４２】
図７は、本発明の実施例１における自動化機器を用いた取引方法（その２）を示すフローチャートである。
【００４３】
自動化機器１０は、図６において結合子Ａで示される処理へ移行したならば、ステップＳ２２において、勘定系ホストコンピュータ３０へ、取引口座と取引承認用口座で構成される２つの口座番号と取引口座の暗証番号と入力された金額とを通知する。
【００４４】
自動化機器１０は、ステップＳ２３において、勘定系ホストコンピュータ３０からの応答を確認し、取引可能な場合には、ステップＳ２４の処理を行い、取引不能な場合には、ステップＳ４０の処理を行う。
【００４５】
自動化機器１０は、ステップＳ２４において図５（ｆ）に示す出金処理画面を表示し、ステップＳ２５において紙幣入出金機１３と硬貨入出金機１４とを制御して紙幣又は硬貨を入出金口に搬送し、ステップＳ２６において明細プリンタ１６を制御して取引結果をレシートに印刷し、ステップＳ２７において磁気カードリーダライタ１５を制御して取引承認用口座カードを排出し、ステップＳ２８において図５（ｇ）に示す取引承認用口座カード受取画面を表示し、ステップＳ２９においてカードが受け取られるまで待ち、受け取られたならばステップＳ３０の処理を行う。
【００４６】
自動化機器１０は、ステップＳ３０において磁気カードリーダライタ１５を制御して取引口座カードを排出し、ステップＳ３１において取引結果レシートを排出し、ステップＳ３２において図５（ｈ）に示す取引口座カード受取画面を表示し、ステップＳ３３においてカードとレシートが受取られるまで待ち、受け取られたならばステップＳ３４の処理を行う。
【００４７】
自動化機器１０は、ステップＳ３４において入出金口シャッタを開き、ステップＳ３５において図５（ｉ）に示す紙幣・硬貨受取画面を表示し、ステップＳ３６において紙幣・硬貨が受取られるまで待ち、受け取られたならば図６及び図７の処理を終了する。
【００４８】
自動化機器１０は、ステップＳ４０において取引不能を表示し、ステップＳ４１において取引承認用口座カードを排出し、ステップＳ４２において図５（ｇ）に示す取引承認用口座カード受取画面を表示し、ステップＳ４３においてカードが受け取られるまで待つ。
【００４９】
自動化機器１０は、ステップＳ４１において取引口座カードを排出し、ステップＳ４５において図示しない取引口座カード受取画面を表示し、ステップＳ４６においてカードが受取られるまで待ち、受け取られたならば図６及び図７の処理を終了する。
【００５０】
図８は、本発明の実施例１における勘定系ホストコンピュータの動作を示すフローチャートである。
【００５１】
勘定系ホストコンピュータ３０は、処理が開始すると自動化機器１０からの受信待ちとなり、ステップＳ６０において２つの口座番号と取引口座の暗証番号と入力された金額を受信したならば、ステップＳ６１において口座ＤＢ３７から取引口座に係る暗証番号を確認する。ステップＳ６１において、送信された暗証番号と取引口座に係る暗証番号とが一致したならば、ステップＳ６５において取引口座と取引承認用口座の関係を確認する。
【００５２】
勘定系ホストコンピュータ３０は、ステップＳ６６において送信された取引承認口座と取引口座に係る取引承認口座とが一致したと判断したならば、ステップＳ６７において取引口座と取引金額の関係を確認する。ステップＳ６８において取引金額は口座で引き出せる金額であると判断したならば、ステップＳ６９において取引口座に出金処理して口座ＤＢ３７に出金処理を記録し、ステップＳ７０において当該自動化機器１０に取引許可通知を送信する。
【００５３】
勘定系ホストコンピュータ３０は、ステップＳ６２、ステップＳ６６，及びステップＳ６８のいずれかにおいて条件が成立しないと判断したならば、ステップＳ７１において当該自動化機器１０に取引不能通知を送信する。
【００５４】
（実施例１の効果）
本実施例１の自動化機器の取引方法によれば、次の（Ａ）のような効果がある。
【００５５】
（Ａ）  複数の媒体の使用を取引条件に加えることにより、生体認証装置等の多大な設備投資を行わず、セキュリティを強化することが可能となる。
【実施例２】
【００５６】
（実施例２の構成）
本発明の実施例２における自動化機器１０の構成は、実施例１を示す図１の自動化機器１０と同様であり、勘定系ホストコンピュータ３０の構成は、実施例１を示す図２の勘定系ホストコンピュータ３０と同様である。
【００５７】
（実施例２の動作）
図９（ｄ２）は、本発明の実施例２と実施例１との画面遷移の差分を示す図である。
【００５８】
本実施例２の画面遷移は、図４及び図５に示される実施例１の画面遷移に加えて、図４（ｄ）に示す取引承認用口座カード挿入画面の後に、図９（ｄ２）に示す暗証番号（第２の暗証番号）入力画面を表示する点が異なっている。
【００５９】
図９（ｄ２）に示す暗証番号入力画面は、「取引承認用口座の暗証番号を入れてください。」のメッセージと、テンキー４７と、暗証番号欄４６とが表示されている。顧客は、この画面において、４桁の暗証番号を入力することにより、図５（ｅ）に示す取引金額入力画面に遷移させることができる。
【００６０】
図１０は、本発明の実施例２における自動化機器を用いた取引方法（その１）を示すフローチャートであり、実施例１を示す図６中の要素と共通の要素には共通の符号が付されている。
【００６１】
自動化機器１０の処理が開始した後、ステップＳ１〜Ｓ８の処理は、実施例１と同様である。
【００６２】
自動化機器１０は、ステップＳ８の処理が終了したならば、ステップＳ９において図９（ｄ２）に示す暗証番号入力画面を表示し、ステップＳ１０において暗証番号が入力されるまで待ち、ステップＳ２０の処理を行う。ステップＳ２０，Ｓ２１の処理は実施例１と同様であり、ステップＳ２１の処理が終了すると、結合子Ｂで示される処理へ移行する。
【００６３】
図１１は、本発明の実施例２における自動化機器を用いた取引方法（その２）を示すフローチャートであり、実施例１を示す図７中の要素と共通の要素には共通の符号が付されている。
【００６４】
自動化機器１０は、図１１において結合子Ｂで示される処理へ移行したならば、ステップＳ２２Ａにおいて、勘定系ホストコンピュータ３０へ、取引口座と取引承認用口座で構成される２つの口座番号と、それぞれの暗証番号と取引金額とを通知する。ステップＳ２３〜Ｓ３６，Ｓ４０〜Ｓ４６の処理は実施例１と同様である。
【００６５】
図１２は、本発明の実施例２における勘定系ホストコンピュータの動作を示すフローチャートであり、実施例１を示す図８中の要素と共通の要素には共通の符号が付されている。
【００６６】
勘定系ホストコンピュータ３０の処理が開始した後、ステップＳ６０〜Ｓ６２の処理は、実施例１と同様である。勘定系ホストコンピュータ３０は、ステップＳ６３において口座ＤＢ３７から取引承認用口座に係る暗証番号を確認し、ステップＳ６４において送信された取引承認用口座の暗証番号と、口座ＤＢ３７に記録された取引承認用口座に係る暗証番号が一致したならば、ステップＳ６５の処理を行う。ステップＳ６４において暗証番号が一致しなかったならば、ステップＳ７１の処理を行う。その後のステップＳ６５〜Ｓ７１の処理は、実施例１と同様である。
【００６７】
（実施例２の効果）
本実施例２の自動化機器の取引方法によれば、実施例１の効果に加えて、次の（Ｂ）のような効果がある。
【００６８】
（Ｂ）  複数の媒体の使用に加えて、それぞれの暗証番号の一致を取引条件に加えることにより、生体認証装置等の多大な設備投資を行わず、セキュリティを更に強化することが可能となる。
【実施例３】
【００６９】
（実施例３の構成）
本発明の実施例３における自動化機器１０の構成は、実施例１を示す図１の自動化機器１０と同様であり、勘定系ホストコンピュータ３０の構成は、実施例１を示す図２の勘定系ホストコンピュータ３０と同様である。
【００７０】
（実施例３の動作）
図１３（ｂ１），（ｃ１），（ｄ１），（ｄ３）と、  図１４（ｄ４），（ｅ１），（ｇ１），（ｈ１）とは、本発明の実施例３と実施例１との画面遷移の差分を示す図である。
【００７１】
本実施例３は、図４（ａ）に示す初期画面の後に、図１３（ｂ１），（ｃ１），（ｄ１），（ｄ３）で示す画面と、図１４（ｄ４），（ｅ１）で示す画面に順に遷移し、図１４（ｅ１）で示す画面の次に、図５（ｆ）に示す出金処理画面に遷移したのち、図１４（ｇ１），（ｈ１）で示す画面に順に遷移し、図５（ｉ）に示す紙幣・硬貨受取画面に遷移して、取引を終了する。
【００７２】
図１３（ｂ１）に示す第１の口座カード挿入画面には、「第１の口座のカードを入れてください。」のメッセージと共に、キャッシュカード挿入部にカードが挿入されているイラストが表示されている。顧客は、この画面において、カード挿入口に第１のカードを挿入することにより、図１３（ｃ１）に示す暗証番号入力画面に遷移させることができる。自動化機器１０が第１のカードの挿入を判定する処理は、第１の投入判定処理である。
【００７３】
図１３（ｃ１）に示す暗証番号入力画面には、「第１の口座の暗証番号を入力してください。」のメッセージと、テンキー４７と、暗証番号欄４６とが表示されている。顧客は、４桁の暗証番号を入力することにより、図１３（ｄ１）に示す第２の口座カード挿入画面に遷移させることができる。
【００７４】
図１３（ｄ１）に示す第２の口座カード挿入画面には、「第２の口座のカードを入れてください。」のメッセージと共に、キャッシュカード挿入部にカードが挿入されているイラストが表示されている。顧客は、この画面において、カード挿入口にカードを挿入することにより、図１３（ｄ３）に示す暗証番号入力画面に遷移させることができる。自動化機器１０が第２のカードの挿入を判定する処理は、第２の投入判定処理である。
【００７５】
図１３（ｄ３）に示す暗証番号入力画面には、「第２の口座の暗証番号を入力してください。」のメッセージと、テンキー４７と、暗証番号欄４６とが表示されている。顧客は、４桁の暗証番号を入力することにより、図１４（ｄ４）に示す取引口座指定画面に遷移させることができる。
【００７６】
図１４（ｄ４）に示す取引口座指定画面は、「引き出し元の口座を選択してください。」のメッセージと共に、第１の口座ボタンと第２の口座ボタンとが表示されている。顧客は、第１の口座ボタンと第２の口座ボタンのいずれかを押下することにより、取引口座を選択すると共に、図１４（ｅ１）に示す取引金額入力画面に遷移させることができる。図１４（ｄ４）に示す取引口座指定画面を表示する処理は、顧客に第１の口座と第２の口座のいずれかを選択させる取引口座選択処理である。
【００７７】
図１４（ｅ１）に示す取引金額入力画面は、第２の口座を取引口座として選択した場合であり「第２の口座からのお引き出し金額を入力してください。」のメッセージと共に、テンキー４７と、金額欄４８と、確認ボタン４９とが表示されている。第１の口座を取引口座として選択した場合には、「第１の口座からのお引き出し金額を入力してください。」のメッセージとなる。顧客は、この画面において、金額をテンキー４７で入力したのち、確認ボタン４９を押下することにより、図５（ｆ）に示す出金処理画面に遷移させることができる。
【００７８】
図５（ｆ）に示す出金処理画面を表示したのち、出金処理が終了すると、図１４（ｇ１）に示す第２の口座カード受取画面に遷移する。
【００７９】
図１４（ｇ１）に示す第２の口座カード受取画面には、「第２の口座カードをお受け取りください。」のメッセージと、キャッシュカードが排出されているイラストが表示されている。顧客は、この画面において、キャッシュカードを排出口から受け取ることにより、図１４（ｈ１）に示す第１の口座カード受取画面に遷移させることができる。
【００８０】
図１４（ｈ１）に示す第１の口座カード受取画面には、「第１の口座カードとレシートをお受け取りください。」のメッセージと、キャッシュカードが排出されているイラストと、レシートが排出されているイラストとが表示されている。顧客は、この画面において、キャッシュカードとレシートとを排出口から受け取ることにより、図５（ｉ）に示す紙幣・硬貨受取画面に遷移させることができる。
【００８１】
図５（ｉ）に示す紙幣・硬貨受取画面が表示された状態において、顧客が紙幣又は硬貨を入出金口から受け取ることにより、取引を終了させることができる。
【００８２】
図１５は、本発明の実施例３における自動化機器を用いた取引方法（その１）を示すフローチャートであり、実施例１を示す図６中の要素と共通の要素には共通の符号が付されている。
【００８３】
処理が開始したのち、ステップＳ１，Ｓ２，Ｓ５０〜Ｓ５４の処理は、本発明の実施例１と同様である。
【００８４】
自動化機器１０は、ステップＳ２の処理が終了したならば、ステップＳ３Ａにおいて実施例１とは異なり、図１３（ｂ１）に示す第１の口座カード挿入画面を表示し、ステップＳ４においてカードが挿入されるまで待つ。ステップＳ５Ａにおいて実施例１とは異なり、図１３（ｃ１）に示す暗証番号入力画面を表示し、ステップＳ６において第１の口座に係る暗証番号が入力されるまで待つ。
【００８５】
自動化機器１０は、ステップＳ６の処理が終了したならば、ステップＳ７Ａにおいて実施例１とは異なり、図１３（ｄ１）に示す第２の口座カード挿入画面を表示し、ステップＳ８においてカードが挿入されるまで待つ。ステップＳ９Ａにおいて実施例１とは異なり、図１３（ｄ３）に示す暗証番号入力画面を表示し、ステップＳ１０において第２の口座に係る暗証番号が入力されるまで待つ。
【００８６】
自動化機器１０は、ステップＳ１０の処理が終了したならば、ステップＳ１１において図１４（ｄ４）に示す取引口座指定画面を表示し、ステップＳ１２において取引口座が指定されるまで待つ。
【００８７】
ステップＳ２０Ａにおいて図１４（ｅ１）に示す取引金額入力画面を表示し、ステップＳ２１において、お引き出し金額が入力されるまで待つ。その後、実施例１とは異なり、結合子Ｃで示される処理へ移行する。
【００８８】
図１６は、本発明の実施例３における自動化機器を用いた取引方法（その２）を示すフローチャートであり、実施例１を示す図７中の要素と共通の要素には共通の符号が付されている。
【００８９】
自動化機器１０は、図１５において結合子Ｃで示される処理へ移行したならば、ステップＳ２２Ｂにおいて、勘定系ホストコンピュータ３０へ、取引口座と取引承認用口座で構成される２つの口座番号と、それぞれの暗証番号と取引金額とを通知する。その後、ステップＳ２３〜Ｓ２６の処理は実施例１と同様である。
【００９０】
自動化機器１０は、ステップＳ２６の処理が終了したならば、ステップＳ２７Ａにおいて実施例１とは異なり第２の口座カードを排出し、ステップＳ２８Ａにおいて図１４（ｇ１）に示す第２の口座カード受取画面を表示し、ステップＳ２９においてカードが受け取られるまで待つ。ステップＳ３０Ａにおいて実施例１とは異なる第１の口座カードを排出し、ステップＳ３１にて取引結果のレシートを排出したのち、ステップＳ３２Ａにおいて実施例１とは異なり、図１４（ｈ１）に示す第１の口座カード受取画面を表示し、ステップＳ３３においてカードが受け取られるまで待つ。以降、ステップＳ３４〜Ｓ３６の処理を行い、図１５及び図１６の処理を終了する。
【００９１】
自動化機器１０は、ステップＳ２３において、取引不能と通知されたならば、ステップＳ４０において取引不能を表示し、ステップＳ４１Ａにおいて第２の口座カードを排出し、ステップＳ４２Ａにおいて図１４（ｇ１）に示す第２の口座カード受取画面を表示し、ステップＳ４３においてカードが受け取られるまで待つ。
【００９２】
自動化機器１０は、ステップＳ４４Ａにおいて第１の口座カードを排出し、ステップＳ４５Ａにおいて図示しない第１の口座カード受取画面を表示し、ステップＳ４６においてカードが受取られるまで待ち、受け取られたならば図１５及び図１６の処理を終了する。
【００９３】
図１７は、本発明の実施例３における勘定系ホストコンピュータへの通知処理（S22B）を示すフローチャートである。
【００９４】
処理が開始すると、自動化機器１０は、図１４（ｄ４）に示す取引口座指定画面で第１の口座が指定されたか否かを判断する。第１の口座が指定されたならば、ステップＳ８１において第１の口座を取引口座とし、ステップＳ８２において第２の口座を取引承認用口座とし、ステップＳ８５の処理を行う。
【００９５】
第１の口座が指定されずに第２の口座が指定されたならば、ステップＳ８３において第２の口座を取引口座とし、ステップＳ８４において第１の口座を取引承認用口座とし、ステップＳ８５の処理を行う。
【００９６】
自動化機器１０は、ステップＳ８５において、取引口座と取引承認用口座と、それぞれの暗証番号と取引金額を勘定系ホストコンピュータ３０に通知し、図１７の処理を終了する。
【００９７】
（実施例３の効果）
本実施例３の自動化機器の取引方法によれば、実施例１，２の効果に加えて、次の（Ｃ）のような効果がある。
【００９８】
（Ｃ）  複数の媒体の使用時に、どちらの媒体から引き出すかを指定できるため、ユーザは媒体の挿入順番に注意を払うことなく利用でき、よって利便性を向上させることが可能となる。
【００９９】
（変形例）
本発明は、上記実施例に限定されず、種々の利用形態や変形が可能である。この利用形態や変形例としては、例えば、次の（ａ），（ｂ）のようなものがある。
【０１００】
（ａ）  実施例１〜３は、自動化機器１０に複数のカードを挿入することを取引条件としたが、複数のカードに限らず、複数の通帳、カードと通帳、又は通帳とカードのように複数の媒体の組み合わせても良い。
【０１０１】
（ｂ）  実施例１〜３は、複数のカードを挿入可能な自動化機器１０に係るものであったが、一度に１枚のカードしか挿入できない自動化機器において、一旦取引承認用口座カードを挿入した後に排出し、次に取引口座カードを挿入してもよい。これによって、一度に１枚のカードしか挿入できない制約を有する自動化機器においても、複数の媒体の使用を取引条件に加えることができ、生体認証装置等の多大な設備投資を行わず、セキュリティを強化することが可能となる。
【符号の説明】
【０１０２】
１０  自動化機器
１１  制御部
１２  顧客操作部
１３  紙幣入出金機
１４  硬貨入出金機
１５  磁気カードリーダライタ
１６  明細プリンタ
１７  通帳記帳機
３０  勘定系ホストコンピュータ
３７  口座ＤＢ
１００  通信回線
【図１】
2011237913.tif 000003
【図２】
2011237913.tif 000004
【図３】
2011237913.tif 000005
【図４】
2011237913.tif 000006
【図５】
2011237913.tif 000007
【図６】
2011237913.tif 000008
【図７】
2011237913.tif 000009
【図８】
2011237913.tif 000010
【図９】
2011237913.tif 000011
【図１０】
2011237913.tif 000012
【図１１】
2011237913.tif 000013
【図１２】
2011237913.tif 000014
【図１３】
2011237913.tif 000015
【図１４】
2011237913.tif 000016
【図１５】
2011237913.tif 000017
【図１６】
2011237913.tif 000018
【図１７】
2011237913.tif 000019